(57)【要約】【課題】簡単な構成で放送方式の種類を正しく判定可能な電子機器を実現する。【解決手段】チューナ制御プログラムは、ＩＦデモジュレータ２０２に設定されるフィルタ特性の種類を複数種のフィルタ特性の間で順次変更しながらビデオデコーダ２０３による垂直同期信号、水平同期信号およびカラーサブキャリア信号の検出結果を参照することにより、ビデオデコーダ２０３が垂直同期信号、水平同期信号およびカラーサブキャリア信号を検出可能なフィルタ特性を選択する。そして、チューナ制御プログラムは、選択されたフィルタ特性の種類と、ビデオデコーダ２０３によって検出される垂直同期信号、水平同期信号およびカラーサブキャリア信号それぞれの周波数とに基づいて、受信中の放送信号に対応する放送方式の種類を判定する。【選択図】      図３
2006310980.tif 000002
【特許請求の範囲】
【請求項１】
所定の周波数帯域の放送信号を受信する受信装置と、
前記受信された放送信号を、設定されたフィルタ特性を用いてフィルタリングして、前記受信された放送信号を映像信号と音声信号とに分離する復調器と、
前記復調器から出力される映像信号から垂直同期信号、水平同期信号およびカラーサブキャリア信号それぞれの周波数を検出する処理を実行するビデオデコーダと、
前記復調器に設定されるフィルタ特性を複数種の放送方式に対応する複数種のフィルタ特性の間で変更しながら前記ビデオデコーダによる前記検出処理の結果を参照することによって、前記複数種のフィルタ特性の中から、前記ビデオデコーダが前記垂直同期信号、前記水平同期信号および前記カラーサブキャリア信号を検出可能なフィルタ特性を選択するフィルタ特性制御手段と、
前記選択されたフィルタ特性の種類と、前記ビデオデコーダによって検出される前記垂直同期信号、前記水平同期信号および前記カラーサブキャリア信号それぞれの周波数とに基づいて、前記受信された放送信号に対応する放送方式の種類を判定する放送方式判定手段とを具備することを特徴とする電子機器。
【請求項２】
前記フィルタ特性制御手段は、前記ビデオデコーダによって前記垂直同期信号、前記水平同期信号および前記カラーサブキャリア信号それぞれの周波数が検出されるまで、前記複数種のフィルタ特性の間で前記復調器に設定されるフィルタ特性を順次変更する手段を含むことを特徴とする請求項１記載の電子機器。
【請求項３】
前記フィルタ特性制御手段は、前記電子機器が使用される地域に対応して決められた所定の順序で、前記復調器に設定されるフィルタ特性を前記複数種のフィルタ特性の間で変更する手段を含むことを特徴とする請求項１記載の電子機器。
【請求項４】
前記復調器から出力される音声信号から音声キャリア信号の周波数を検出する音声デコーダをさらに具備し、
前記放送方式判定手段は、
前記選択されたフィルタ特性の種類と、前記ビデオデコーダによって検出される前記垂直同期信号、前記水平同期信号および前記カラーサブキャリア信号それぞれの周波数と、前記音声デコーダによって検出される前記音声キャリア信号の周波数とに基づいて、前記受信された放送信号に対応する放送方式の種類を判定する手段を含むことを特徴とする請求項１記載の電子機器。
【請求項５】
前記受信装置が受信すべき放送信号の周波数帯域を変更する手段をさらに具備することを特徴とする請求項１記載の電子機器。
【請求項６】
チューナ装置によって受信される放送信号に対応する放送方式の種類を判定する放送方式判定方法であって、前記チューナ装置は、所定の周波数帯域の放送信号を受信する受信装置と、前記受信された放送信号を、設定されたフィルタ特性を用いてフィルタリングして、前記受信された放送信号を映像信号と音声信号とに分離する復調器と、前記復調器から出力される映像信号から垂直同期信号、水平同期信号およびカラーサブキャリア信号それぞれの周波数を検出する処理を実行するビデオデコーダとを備えており、
前記復調器に設定されるフィルタ特性を複数種の放送方式に対応する複数種のフィルタ特性の間で変更しながら前記ビデオデコーダによる前記検出処理の結果を参照することによって、前記複数種のフィルタ特性の中から、前記ビデオデコーダが前記垂直同期信号、前記水平同期信号および前記カラーサブキャリア信号を検出可能なフィルタ特性を選択するフィルタ特性制御ステップと、
前記選択されたフィルタ特性の種類と、前記ビデオデコーダによって検出される前記垂直同期信号、前記水平同期信号および前記カラーサブキャリア信号それぞれの周波数とに基づいて、前記受信された放送信号に対応する放送方式の種類を判定する放送方式判定ステップとを具備することを特徴とする放送方式判別方法。
【請求項７】
前記フィルタ特性制御ステップは、前記ビデオデコーダによって前記垂直同期信号、前記水平同期信号および前記カラーサブキャリア信号それぞれの周波数が検出されるまで、前記複数種のフィルタ特性の間で前記復調器に設定されるフィルタ特性を順次変更することを特徴とする請求項６記載の放送方式判別方法。
【請求項８】
前記フィルタ特性制御ステップは、前記チューナ装置が使用される地域に対応して決められた所定の順序で、前記復調器に設定されるフィルタ特性を前記複数種のフィルタ特性の間で変更することを特徴とする請求項６記載の放送方式判定方法。
【請求項９】
前記チューナ装置は、前記復調器から出力される音声信号から音声キャリア信号の周波数を検出する音声デコーダをさらに具備し、
前記放送方式判定ステップは、
前記選択されたフィルタ特性の種類と、前記ビデオデコーダによって検出される前記垂直同期信号、前記水平同期信号および前記カラーサブキャリア信号それぞれの周波数と、前記音声デコーダによって検出される前記音声キャリア信号の周波数とに基づいて、前記受信された放送信号に対応する放送方式の種類を判定することを特徴とする請求項６記載の放送方式判定方法。
【請求項１０】
前記受信装置が受信すべき放送信号の周波数帯域を変更するステップをさらに具備することを特徴とする請求項６記載の放送方式判定方法。
【発明の詳細な説明】
【技術分野】
【０００１】
本発明は、放送信号を受信可能な電子機器および同装置で用いられる放送方式判定方法に関する。
【背景技術】
【０００２】
近年、ノートブックタイプ、ラップトップタイプのような携帯可能な様々なパーソナルコンピュータが開発されている。最近では、この種のパーソナルコンピュータにおいても、オーディオ・ビデオ（ＡＶ）機能の向上を図るために、ＴＶ放送信号を受信するためのチューナ装置の搭載が進められている。
【０００３】
ところで、現在、世界の多数の地域では、様々な種類の放送方式（またはＴＶ放送方式という）が採用されている。各放送方式は、基本的には、カラーシステムの種類（ＮＴＳＣ（National Television Standards Committee）、ＰＡＬ（Phase Alternate Line）、ＳＥＣＡＭ（Sequential Couleur Avec Memoire）等）と、ＩＴＵ（International Telecommunication Union）で定められた放送システムの種類（Ｍ、Ｂ、Ｇ、Ｈ、Ｉ、Ｄ、Ｋ、Ｌ等）との組み合わせで規定される。
【０００４】
例えば、日本、北米などで使用されている放送方式はＮＴＳＣ−Ｍであり、ドイツ等で使用されている放送方式はＰＡＬ−Ｂ／Ｇである。また、何種類かの放送方式それぞれに対応する放送信号が用いられている地域もある。
【０００５】
そこで、最近では、複数種の放送方式それぞれに対応する複数種のＴＶ放送信号を受信可能な、いわゆる全世界対応のチューナが開発され始めている。
【０００６】
ユーザは、チューナによって受信すべき放送方式の種類を選択することで、目的のＴＶ放送信号を視聴することができる。
【０００７】
しかし、複数種の放送方式に対応するＴＶ放送信号が混在してサービスされている地域においては、周波数チャンネル毎に受信可能な放送方式の種類が異なる場合もある。このため、受信可能な放送方式の種類を自動的に判定する機能が要求されている。
【０００８】
特許文献１には、複数種の放送方式に対応したＴＶ信号処理装置が開示されている。このＴＶ信号処理装置は、放送信号を復調することによって得られた映像信号を処理することによって、放送信号の放送方式を自動判定する機能を有している。
【特許文献１】特開２００４−２０８１４３号公報
【発明の開示】
【発明が解決しようとする課題】
【０００９】
しかし、特許文献１の装置では、復調処理によって得られる映像信号が常に正常であることを前提としているので、正常な映像信号が得られたかった場合には、放送方式を正しく判別することは困難となる。
【００１０】
また、特許文献１の技術は放送方式判別のために専用のハードウェアを利用しているので、部品点数の増加を招くことになる。
【００１１】
本発明は上述の事情を考慮してなされたものであり、簡単な構成で放送方式の種類を正しく判定することが可能な電子機器および放送方式判定方法を提供することを目的とする。
【課題を解決するための手段】
【００１２】
上述の課題を解決するため、本発明の電子機器は、所定の周波数帯域の放送信号を受信する受信装置と、前記受信された放送信号を、設定されたフィルタ特性を用いてフィルタリングして、前記受信された放送信号を映像信号と音声信号とに分離する復調器と、前記復調器から出力される映像信号から垂直同期信号、水平同期信号およびカラーサブキャリア信号それぞれの周波数を検出する処理を実行するビデオデコーダと、前記復調器に設定されるフィルタ特性を複数種の放送方式に対応する複数種のフィルタ特性の間で変更しながら前記ビデオデコーダによる前記検出処理の結果を参照することによって、前記複数種のフィルタ特性の中から、前記ビデオデコーダが前記垂直同期信号、前記水平同期信号および前記カラーサブキャリア信号を検出可能なフィルタ特性を選択するフィルタ特性制御手段と、前記選択されたフィルタ特性の種類と、前記ビデオデコーダによって検出される前記垂直同期信号、前記水平同期信号および前記カラーサブキャリア信号それぞれの周波数とに基づいて、前記受信された放送信号に対応する放送方式の種類を判定する放送方式判定手段とを具備することを特徴とする。
【発明の効果】
【００１３】
本発明によれば、簡単な構成で放送方式の種類を正しく判別することが可能となる。
【発明を実施するための最良の形態】
【００１４】
以下、図面を参照して、本発明の実施形態を説明する。  
まず、図１および図２を参照して、本発明の一実施形態に係る電子機器の構成について説明する。この電子機器は、例えば、ノートブック型の携帯型パーソナルコンピュータ１０として実現されている。
【００１５】
図１はパーソナルコンピュータ１０のディスプレイユニットを開いた状態における斜視図である。本コンピュータ１０は、コンピュータ本体１１と、ディスプレイユニット１２とから構成されている。ディスプレイユニット１２には、ＬＣＤ（Liquid Crystal Display）１７から構成される表示装置が組み込まれており、そのＬＣＤ１７の表示画面はディスプレイユニット１２のほぼ中央に位置されている。
【００１６】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、本コンピュータ１０を電源オン／オフするためのパワーボタン１４、入力操作パネル１５、およびタッチパッド１６などが配置されている。
【００１７】
入力操作パネル１５は、押されたボタンに対応するイベントを入力する入力装置であり、複数の機能をそれぞれ起動するための複数のボタンを備えている。これらボタン群には、ＴＶ起動ボタン１５Ａ、チャンネル切替えボタン１５Ｂも含まれている。ＴＶ起動ボタン１５ＡはＴＶ放送番組データを再生するためのボタンである。ＴＶ起動ボタン１５Ａがユーザによって押下された時、ＴＶアプリケーションプログラムが自動的に起動される。ＴＶアプリケーションプログラムは、ＴＶ放送番組データを視聴および記録するためのビデオ再生プログラムである。チャンネル切替えボタン１５Ｂは、視聴／記録すべきＴＶ放送番組データのチャンネルを選択するためのボタンである。チャンネル切替えボタン１５Ｂがユーザによって押下される度に、視聴／記録すべきＴＶ放送番組データのチャンネルが順番に切り替えられる。
【００１８】
コンピュータ本体１１の側面には、ＡＶ（オーディオ・ビデオ）コネクタセット１８およびＴＶアンテナコネクタ１９とが設けられている。ＴＶアンテナコネクタ１９には、ＴＶアンテナケーブルが接続される。ＡＶ（オーディオ・ビデオ）コネクタセット１８は、外部機器からＡＶデータを入力するためのコネクタ群であり、コンポジットビデオ入力コネクタ１８Ａ、Ｓビデオ入力コネクタ１８Ｂ、および２つのオーディオ入力コネクタ（オーディオ−Ｌ、オーディオ−Ｒ）１８Ｃを含む。
【００１９】
次に、図２を参照して、本コンピュータ１０のシステム構成について説明する。
【００２０】
本コンピュータ１０は、図２に示されているように、ＣＰＵ１１１、ノースブリッジ１１２、主メモリ１１３、グラフィクスコントローラ１１４、サウスブリッジ１１９、ＢＩＯＳ−ＲＯＭ１２０、ハードディスクドライブ（ＨＤＤ）１２１、光ディスクドライブ（ＯＤＤ）１２２、ＴＶチューナ・キャプチャユニット１２３、およびエンベデッドコントローラ／キーボードコントローラＩＣ（ＥＣ／ＫＢＣ）１２４等を備えている。
【００２１】
ＣＰＵ１１１は本コンピュータ１０の動作を制御するために設けられたプロセッサであり、ハードディスクドライブ（ＨＤＤ）１２１から主メモリ１１３にロードされる、オペレーティングシステム（ＯＳ）および各種アプリケーションプログラムを実行する。アプリケーションプログラムとしては、上述のＴＶアプリケーションプログラムに加え、チューナ制御プログラムが利用される。チューナ制御プログラムは、ＴＶチューナ・キャプチャユニット１２３の動作を制御するためのプログラムである。チューナ制御プログラムは、ＴＶチューナ・キャプチャユニット１２３が受信可能な放送信号を自動判定するための放送方式判定処理を実行する。
【００２２】
また、ＣＰＵ１１１は、ＢＩＯＳ−ＲＯＭ１２０に格納されたシステムＢＩＯＳ（Basic Input Output System）も実行する。システムＢＩＯＳはハードウェア制御のためのプログラムである。
【００２３】
ノースブリッジ１１２はＣＰＵ１１１のローカルバスとサウスブリッジ１１９との間を接続するブリッジデバイスである。ノースブリッジ１１２には、主メモリ１１３をアクセス制御するメモリコントローラも内蔵されている。また、ノースブリッジ１１２は、ＡＧＰ（Accelerated Graphics Port）バスなどを介してグラフィクスコントローラ１１４との通信を実行する機能も有している。
【００２４】
グラフィクスコントローラ１１４は本コンピュータ１０のディスプレイモニタとして使用されるＬＣＤ１７を制御する表示コントローラである。このグラフィクスコントローラ１１４はビデオメモリ（ＶＲＡＭ）を有しており、ＯＳ／アプリケーションプログラムによってビデオメモリ（ＶＲＡＭ）に書き込まれた表示データから、ＬＣＤ１７に表示すべき表示イメージを形成する映像信号を生成する。また、グラフィクスコントローラ１１４は、外部ＣＲＴ（Cathode Ray Tube）へアナログ映像信号を出力するためのインタフェース、およびアナログ映像信号をＳビデオ出力コネクタを介して外部に出力するためのインタフェースも有している。
【００２５】
サウスブリッジ１１９は、ＬＰＣ（Low Pin Count）バス上の各デバイスを制御する。また、サウスブリッジ１１９は、ＨＤＤ１２１、ＯＤＤ１２２を制御するためのＩＤＥ（Integrated Drive Electronics）コントローラを内蔵している。さらに、サウスブリッジ１１９は、ＢＩＯＳ−ＲＯＭ１２０をアクセス制御するための機能、およびＰＣＩ（Peripheral Component Interconnect）バス２０上の各デバイスを制御する機能を有している。ＰＣＩバス２０には、ＴＶチューナ・キャプチャユニット１２３が接続されている。
【００２６】
ＴＶチューナ・キャプチャユニット１２３は、バスコネクタ３０を介してＰＣＩバス２０に接続されている。バスコネクタ３０は、例えば、Mini PCIコネクタから構成されている。ＴＶチューナ・キャプチャユニット１２３は、ＴＶ放送信号を受信するチューナ装置である。このＴＶチューナ・キャプチャユニット１２３は、外部機器からのビデオデータを受信することもできる。ＴＶチューナ・キャプチャユニット１２３は、ＴＶ放送信号を受信し、その受信したＴＶ放送信号に含まれる映像信号および音声信号をＰＣＩバス２０上に出力する。この場合、映像信号および音声信号はＴＶチューナ・キャプチャユニット１２３内で例えばＭＰＥＧ２（MPEG: Moving Picture Coding Experts Group）のような圧縮符号化方式で圧縮符号化され後にＰＣＩバス２０上に出力される。圧縮符号化された映像信号および音声信号はＴＶアプリケーションプログラムによってデコードされる。
【００２７】
エンベデッドコントローラ／キーボードコントローラＩＣ（ＥＣ／ＫＢＣ）１２４は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１２４は、ユーザによるパワーボタン１４の操作に応じて本コンピュータ１０をパワーオン／パワーオフする機能を有している。
【００２８】
次に、図３を参照して、ＴＶチューナ・キャプチャユニット１２３の構成を説明する。
【００２９】
ＴＶチューナ・キャプチャユニット１２３は、チューナ２０１、中間周波（ＩＦ）デモジュレータ２０２、ビデオデコーダ２０３、オーディオデコーダ２０４、ＭＰＥＧ２エンコーダ２０５、およびＰＣＩバスインタフェース２０６を備えている。チューナ２０１、中間周波（ＩＦ）デモジュレータ２０２、ビデオデコーダ２０３、オーディオデコーダ２０４、ＭＰＥＧ２エンコーダ２０５、およびＰＣＩバスインタフェース２０６は、シリアルバス３００に接続されている。チューナ制御プログラムは、ＰＣＩバスインタフェース２０６に設けられたレジスタ３０２に各種コマンドをセットすることにより、チューナ２０１、中間周波（ＩＦ）デモジュレータ２０２、ビデオデコーダ２０３、オーディオデコーダ２０４、およびＭＰＥＧ２エンコーダ２０５の動作をそれぞれ制御することができる。
【００３０】
チューナ２０１は、映像信号および音声信号を搬送するＴＶ放送信号を受信するようにＴＶアンテナコネクタ１９を介して外部のアンテナ２００に接続されている。チューナ２０１は、所定の周波数帯域のＴＶ放送信号を受信する受信装置である。受信対象の周波数帯域は、ＴＶアプリケーションプログラムやチューナ制御プログラムの制御の下に変更することができる。チューナ２０１は、受信したＴＶ放送信号を中間周波数信号に変換し、その中間周波数信号を出力する。
【００３１】
ＩＦデモジュレータ２０２はチューナ２０１によって受信されたＴＶ放送信号を復調するための復調器である。このＩＦデモジュレータ２０２は、チューナ２０１によって受信されたＴＶ放送信号、具体的にはチューナ２０１から出力される中間周波信号、をフィルタリングして、受信されたＴＶ放送信号を映像信号と音声信号とに分離する。ＩＦデモジュレータ２０２はバンドパスフィルタ（ＢＰＦ）３０１を備えており、ＴＶ放送信号を復調するためのフィルタリングは、バンドパスフィルタ（ＢＰＦ）３０１によって実行される。このフィルタリングにより、ＴＶ放送信号は、映像信号（映像中間周波信号）と音声信号（音声中間周波信号）とに分離される。
【００３２】
バンドパスフィルタ（ＢＰＦ）３０１のフィルタ特性は、チューナ制御プログラムの制御の下に変更することができる。すなわち、チューナ制御プログラムは、複数種の放送システム（例えば、ＩＴＵでそれぞれ定義された放送システムＭ、Ｂ、Ｌなど）に対応する複数種のフィルタ特性を選択的にＩＦデモジュレータ２０２に設定することができる。ＩＦデモジュレータ２０２は、チューナ２０１によって受信されたＴＶ放送信号を設定されたフィルタ特性を用いてフィルタリングすることにより、ＴＶ放送信号を復調する。ＩＦデモジュレータ２０２から出力される映像信号はコンポジット信号（ＣＶＢＳ：Csync Video Black/white Signal）であり、また中間周波（ＩＦ；Intermadiate Frequency）デモジュレータ２０２から出力される音声信号はＳＩＦ（Sound Intermadiate Frequency）信号である。
【００３３】
ビデオデコーダ２０３は、デモジュレータ２０２から出力される映像信号をデコードして、映像信号を例えばＩＴＵ−６５６形式のデジタル映像信号に変換する。デコード処理においては、ビデオデコーダ２０３は、デモジュレータ２０２から出力される映像信号から垂直同期信号、水平同期信号およびカラーサブキャリア信号それぞれの周波数を検出する。
【００３４】
オーディオデコーダ２０４は、デモジュレータ２０２から出力される音声信号をデコードして、音声信号を例えばＩ２Ｓ（Inter-IC Sound Bus）形式のデジタル音声信号に変換する。デコード処理においては、オーディオデコーダ２０４は、デモジュレータ２０２から出力される音声信号をデコードするために、音声信号から音声キャリア信号の周波数を検出する。
【００３５】
ＭＰＥＧ２エンコーダ２０５は、ＩＴＵ−６５６形式の映像信号およびＩ２Ｓ形式の音声信号をそれぞれ圧縮符号化して、圧縮符号化されたＡＶストリームを生成する。圧縮符号化されたＡＶストリームは、ＰＣＩバスインターフェース２０６およびＰＣＩバス２０を介してメモリ１１３に送られる。
【００３６】
次に、本実施形態で用いられる複数種のフィルタ特性について説明する。
【００３７】
図４には、放送システムＭに対応する放送信号が示されている。放送システムＭにおいては、映像キャリア周波数と音声キャリア周波数との間の間隔は４．５ＭＨｚである。また、映像信号の帯域幅は４．２ＭＨｚである。放送システムＭに対応するフィルタ特性は、図４のような映像キャリアおよび音声キャリアの周波数特性に基づいて予め決定されている。
【００３８】
図５には、放送システムＢに対応する放送信号が示されている。放送システムＢにおいては、映像キャリア周波数と音声キャリア周波数との間の間隔は５．５ＭＨｚである。また、映像信号の帯域幅は５ＭＨｚである。放送システムＢに対応するフィルタ特性は、図５のような映像キャリアおよび音声キャリアの周波数特性に基づいて予め決定されている。
【００３９】
図６には、放送システムＬに対応する放送信号が示されている。放送システムＬにおいては、映像キャリア周波数と音声キャリア周波数との間の間隔は６．５ＭＨｚである。また、映像信号の帯域幅は６ＭＨｚである。放送システムＬに対応するフィルタ特性は、図６のような映像キャリアおよび音声キャリアの周波数特性に基づいて予め決定されている。
【００４０】
次に、図７のフローチャートを参照して、放送方式判定処理の手順について説明する。
【００４１】
本実施形態では、アンテナ２００で受信されたアナログＴＶ放送信号はチューナ２０１で周波数選局される。チューナ２０１から出力された中間周波信号はＩＦデモジュレータ２０２で復調（検波）され、これによってＣＶＢＳ信号（映像信号）およびＳＩＦ信号（音声信号）が得られる。この場合、ＩＦデモジュレータ２０２に設定されたフィルタ特性が受信した放送信号の放送方式に合致していないと、正常なＣＶＢＳ信号が出力されず、後段のビデオデコーダ２０３で垂直同期信号（Ｖ）、水平同期信号（Ｈ）、およびカラーサブキャリア信号を正しく検出することができない。
【００４２】
そこで、本実施形態では、最初に、チューナ制御プログラムは、複数種の放送システムに対応する複数種のフィルタ特性の中から、ビデオデコーダ２０３が垂直同期信号、水平同期信号およびカラーサブキャリア信号を検出可能なフィルタ特性を選択して、当該選択したフィルタ特性をＩＦデモジュレータ２０２に設定するためのフィルタ特性設定処理を実行する。
【００４３】
このフィルタ特性設定処理においては、チューナ制御プログラムは、ＩＦデモジュレータ２０２に設定されるフィルタ特性の種類を複数種のフィルタ特性の間で順次変更しながら、ビデオデコーダ２０３による垂直同期信号、水平同期信号およびカラーサブキャリア信号の検出結果を参照することにより、現在設定されているフィルタ特性が、ビデオデコーダ２０３が垂直同期信号、水平同期信号およびカラーサブキャリア信号を検出可能なフィルタ特性であるか否かを判別する。
【００４４】
最適なフィルタ特性がＩＦデモジュレータ２０２に設定された状態で、チューナ制御プログラムは、ビデオデコーダ２０３によって検出される垂直同期信号、水平同期信号およびカラーサブキャリア信号それぞれの周波数を読み取り、それら周波数と、ＩＦデモジュレータ２０２に設定されている現在のフィルタ特性の種類とに基づいて、現在受信中の放送信号の放送方式の種類を判定する。
【００４５】
本実施形態では、ＩＦデモジュレータ２０２に設定すべきフィルタ特性の種類として、放送システムＢに対応するフィルタ特性と、放送システムＭに対応するフィルタ特性と、放送システムＬ（またはＬ’）に対応するフィルタ特性とが選択的に使用される。放送システムＢに対応するフィルタ特性は、例えば放送システムＢ，Ｇ等に対応する放送信号を映像信号と音声信号とに分離できるように設計されている。放送システムＭに対応するフィルタ特性は、例えば放送システムＭ，Ｎ等に対応する放送信号を映像信号と音声信号とに分離できるように設計されている。放送システムＬ（またはＬ’）に対応するフィルタ特性は、例えば放送システムＬ（またはＬ’）に対応する放送信号を映像信号と音声信号とに分離できるように設計されている。
【００４６】
ＩＦデモジュレータ２０２に設定されるフィルタ特性は、例えば、放送システムＢに対応するフィルタ特性、放送システムＭに対応するフィルタ特性、放送システムＬ（またはＬ’）に対応するフィルタ特性の順で順次変更される。
【００４７】
なお、実際には、ＩＦデモジュレータ２０２に設定されるフィルタ特性を変更する順序は、本コンピュータ１０の仕向地つまり本コンピュータ１０が使用される地域、に対応して予め決められた所定の順序で実行される。これにより、ビデオデコーダ２０３が垂直同期信号、水平同期信号およびカラーサブキャリア信号を検出可能なフィルタ特性をより迅速に決定することが可能となる。
【００４８】
以下、放送方式判別処理の具体的な手順を説明する。
【００４９】
放送方式判別処理は、チューナ２０１が受信すべき放送信号の周波数帯域（チューニング周波数）を順次変更しながら行われる。本実施形態では、ＶＨＦ帯の下限周波数（４１ＭＨｚ）よりサーチを開始する。
【００５０】
チューナ制御プログラムは、まず、ＩＦデモジュレータ２０２に対して放送システムＢに対応するフィルタ特性を設定する（ステップＳ１０１）。チューナ２０１は自動周波数チューニング処理を実行して、受信すべき放送信号の周波数帯域を微調整する（ステップＳ１０２）。チューナ２０１から出力された中間周波信号はＩＦデモジュレータ２０２で復調され、これによってＣＶＢＳ信号（映像信号）およびＳＩＦ信号（音声信号）が得られる。ＣＶＢＳ信号（映像信号）およびＳＩＦ信号（音声信号）は、ビデオデコーダ２０３およびオーディオデコーダ２０４にそれぞれ送られる。
【００５１】
ビデオデコーダ２０３は、水平同期信号、垂直同期信号、カラーサブキャリア信号それぞれの周波数を検出するための同期信号判定処理を行う。この場合、ビデオデコーダ２０３は、ＰＬＬなどを用いて、ＣＶＢＳ信号に含まれる水平同期信号、垂直同期信号、カラーサブキャリア信号にそれぞれ同期した信号群を生成する。
【００５２】
チューナ制御プログラムは、ビデオデコーダ２０３内のステータスレジスタ等をリードアクセスすることにより、ビデオデコーダ２０３による水平同期信号、垂直同期信号、カラーサブキャリア信号それぞれの検出結果を参照する。そして、チューナ制御プログラムは、ビデオデコーダ２０３が水平同期信号、垂直同期信号、およびカラーサブキャリア信号それぞれの周波数を正しく検出できたかどうか、つまりビデオデコーダ２０３が水平同期信号、垂直同期信号およびカラーサブキャリア信号にそれぞれロックしたかどうかを判別する（ステップＳ１０３，Ｓ１０５）。
【００５３】
このような同期信号判定処理が失敗した場合、つまり水平同期信号、垂直同期信号およびカラーサブキャリア信号のいずれか一つでもロックしなかった場合には（ステップＳ１０３のＮＯ、またはステップＳ１０５のＮＯ）、チューナ制御プログラムは、同期信号判定処理が成功するまで、例えば、システムＢに対応するフィルタ特性→システムＭに対応するフィルタ特性→システムＬ（Ｌ’）に対応するフィルタ特性の順に、デモジュレータ２０２に設定されるフィルタ特性を順次変更する。
【００５４】
全てのフィルタ特性において同期信号判定処理が失敗した場合（ステップＳ１０４のＹＥＳ）、チューナ制御プログラムは、チューニング周波数を１レベルアップ（＋１ＭＨｚ）し（ステップＳ１０６）、そしてステップＳ１０１〜Ｓ１０５の処理を繰り返す。
【００５５】
同期信号判定処理が成功した場合（ステップＳ１０５のＹＥＳ）、チューナ制御プログラムは、カラーシステム判定処理および音声システム判定処理を実行する（ステップＳ１０７，Ｓ１０９）。
【００５６】
カラーシステム判定処理（ステップＳ１０７）では、チューナ制御プログラムは、ビデオデコーダ２０３によって検出された水平同期信号、垂直同期信号およびカラーサブキャリア信号それぞれの周波数に基づいて、チューナ２０１によって現在受信されている放送信号に対応するカラーシステムを判定する。
【００５７】
基本的には、現在受信されている放送信号に対応する放送方式（ＴＶ放送方式）の種類は、カラーシステムの種類と、同期信号判定処理に成功したフィルタ特性に対応する放送システムの種類との関係から決定される。しかし、放送方式によっては、音声システムの種類についても考慮することが必要とされる。このため、本実施形態では、音声システム判定処理（Ｓ１０９）も実行される。音声システム判定処理（Ｓ１０９）では、チューナ制御プログラムは、オーディオデコーダ２０４によって検出された音声キャリア信号の周波数に応じて、現在受信されている放送信号に対応する音声システムを判定する。
【００５８】
もし、ビデオデコーダ２０３によって検出された水平同期信号の周波数、垂直同期信号の周波数およびカラーサブキャリア信号の周波数の組み合わせがどのカラーシステムにも一致しない場合には、チューナ制御プログラムは、カラーシステムが判定不能であると判断し（ステップＳ１０８のＮＯ）、現在受信中の放送信号の放送方式の種類が予めデフォルトの放送方式として決められている放送方式であると判定する（ステップＳ１１４）。デフォルトの放送方式は、本コンピュータ１０の仕向地に対応する放送方式である。音声システムの判定が不可能な場合にも（ステップＳ１１０のＮＯ）、チューナ制御プログラムは、現在受信中の放送信号の放送方式の種類がデフォルトの放送方式であると判定する（ステップＳ１１４）。
【００５９】
カラーシステム判定および音声システム判定がともに成功すると、チューナ制御プログラムは、同期信号判定処理に成功したフィルタ特性に対応する放送システムの種類と、判定されたカラーシステムの種類と、判定された音声システムの種類との関係に基づいて、現在受信中の放送信号の放送方式の種類を判定する（ステップＳ１１１）。
【００６０】
この後、ＴＶアプリケーションプログラムは、現在のチューニング周波数と判定された放送方式の種類との組をメモリ１１３上にチャンネルマップ情報として格納する（ステップＳ１１２）。チャンネルマップ情報は、周波数チャンネル毎に受信可能な放送方式の種類を規定する情報である。
【００６１】
以上の一連の処理は、チェック対象のチューニング周波数がＴＶ放送周波数帯の上限（たとえば８７０ＭＨｚ）に達するまで、チェック対象のチューニング周波数を変更しながら繰り返し実行される。これにより、各周波数帯域毎に受信可能な放送信号の有無および受信可能な放送方式の種類が定義されたチャンネルマップ情報を生成することができる。ユーザによって視聴対象のチャンネルが選択されると、ＴＶアプリケーションプログラムは、選択されたチャンネルに対応する放送方式を受信するための各種パラメタをＴＶチューナ・キャプチャユニット１２３に設定する。
【００６２】
図８には、カラーシステム判定処理の手順が示されている。
【００６３】
チューナ制御プログラムは、同期信号判定処理に成功したフィルタ特性が、放送システムＭ、Ｂ、Ｌ（Ｌ’）のいずれに対応するフィルタ特性であるかを判別する（ステップＳ２０１）。
【００６４】
同期信号判定処理に成功したフィルタ特性がＬ（Ｌ’）に対応するフィルタ特性であれば、受信中の放送信号に対応する放送方式の候補はＳＥＣＡＭ−Ｌ（Ｌ’）である。このため、チューナ制御プログラムは、ビデオデコーダ２０３によって検出された水平同期信号、垂直同期信号およびカラーサブキャリア信号それぞれの周波数に基づいて、受信中の放送信号のカラーシステムがＳＥＣＡＭであるか否かを判別する。
【００６５】
同期信号判定処理に成功したフィルタ特性がＢに対応するフィルタ特性であれば、受信中の放送信号に対応する放送方式の候補はＰＡＬ−Ｂ、ＰＡＬ−Ｇ、ＰＡＬ−Ｈ、ＰＡＬ−Ｉ、ＰＡＬ−Ｄ、ＰＡＬ−Ｋである。このため、チューナ制御プログラムは、ビデオデコーダ２０３によって検出された水平同期信号、垂直同期信号およびカラーサブキャリア信号それぞれの周波数に基づいて、受信中の放送信号のカラーシステムがＰＡＬであるか否かを判別する（ステップＳ２０３）。
【００６６】
同期信号判定処理に成功したフィルタ特性がＭに対応するフィルタ特性であれば、受信中の放送信号に対応する放送方式の候補はＮＴＳＣ−Ｍ、ＰＡＬ−Ｍ、ＰＡＬ−Ｎである。このため、チューナ制御プログラムは、ビデオデコーダ２０３によって検出された水平同期信号、垂直同期信号およびカラーサブキャリア信号それぞれの周波数に基づいて、受信中の放送信号のカラーシステムがＮＴＳＣ、ＰＡＬのいずれであるかを判断する（ステップＳ２０３）。
【００６７】
図９には、音声システム判定処理の手順の例が示されている。
【００６８】
チューナ制御プログラムは、オーディオデコーダ２０４による音声キャリア周波数の検出結果に基づき、音声キャリア周波数がオーディオデコーダ２０４によって正常に検出できたかどうかを判別する（ステップＳ３０１，Ｓ３０２）。音声キャリア周波数が正常に検出できなかった場合（ステップＳ３０１のＮＯ、またはステップＳ３０２のＮＯ）、チューナ制御プログラムは、図７のステップＳ１１４へ移行する。
【００６９】
音声キャリア周波数が正常に検出できた場合（ステップＳ３０２のＹＥＳ）、チューナ制御プログラムは、検出された音声キャリア周波数に基づいて、音声システムの種類を判定する（ステップＳ３０３）。また、チューナ制御プログラムは、オーディオデコーダ２０４による音声信号のデコード結果に基づいて、受信中の放送信号に含まれる音声信号の音声モード（モノラル、ステレオ等）を必要に応じて判定する（ステップＳ３０４）。
【００７０】
以上説明したように、本実施形態によれば、最初に、正常なＣＶＢＳ信号を出力可能なフィルタ特性をＩＦデモジュレータ２０２に設定する処理が実行され、その後でカラーシステム判定処理、音声システム判定処理が実行される。したがって、複数種の放送方式に対応するＴＶ放送信号が混在してサービスされている地域においても、正常なＣＶＢＳ信号を得ることが可能となる。よって、ビデオデコーダ２０３は水平同期信号、垂直同期信号およびカラーサブキャリア信号それぞれの周波数を正しく検出することができるので、放送方式の判定精度を高めることが可能となる。
【００７１】
また、本実施形態では、放送方式判定のための特別なハードウェアは必要としない。このため、ユーザによって選択された放送方式に対応する放送信号を受信するように構成された通常のチューナ装置のハードウェア構成を何等変更することなく、ソフトウェア制御のみで、受信可能な放送方式を周波数帯域毎に自動的に判別することができる。
【００７２】
なお、本実施形態では、放送信号を受信可能な電子機器として、ＴＶチューナ・キャプチャユニットを搭載したパーソナルコンピュータを例示したが、本実施形態の放送方式判定機能は通常のＴＶ受信装置に適用することもできる。
【００７３】
また、チューナ制御プログラムの機能は、ＴＶチューナ・キャプチャユニットに搭載された１チップマイクロコンピュータによって実現してもよい。
【００７４】
また本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００７５】
【図１】本発明の一実施形態に係るコンピュータの外観を示す斜視図。
【図２】図１のコンピュータのシステム構成を示すブロック図。
【図３】図１のコンピュータに設けられたＴＶチューナ・キャプチャユニットの構成を示すブロック図。
【図４】図１のコンピュータで用いられる第１のフィルタ特性を説明するための図。
【図５】図１のコンピュータで用いられる第２のフィルタ特性を説明するための図。
【図６】図１のコンピュータで用いられる第２のフィルタ特性を説明するための図。
【図７】図１のコンピュータによって実行される放送方式判定処理の手順の例を説明するフローチャート。
【図８】図１のコンピュータによって実行されるカラーシステム判定処理の手順の例を説明するフローチャート。
【図９】図１のコンピュータによって実行される音声システム判定処理の手順の例を説明するフローチャート。
【符号の説明】
【００７６】
１０…コンピュータ、１２３…ＴＶチューナ・キャプチャユニット、２０１…チューナ、２０２…ＩＦデモジュレータ、２０３…ビデオデコーダ、２０４…オーディオデコーダ、２０５…ＭＰＥＧ２エンコーダ。
【図１】
2006310980.tif 000003
【図２】
2006310980.tif 000004
【図３】
2006310980.tif 000005
【図４】
2006310980.tif 000006
【図５】
2006310980.tif 000007
【図６】
2006310980.tif 000008
【図７】
2006310980.tif 000009
【図８】
2006310980.tif 000010
【図９】
2006310980.tif 000011